(57)【要約】パッド縁部を画定する隆起したパッドを有するプリント回路板に対しソルダーマスクパターンに従ってインクを塗布する方法及び器具を提供する該方法は、インクがパッド縁部まで前進し、隆起したパッド上に上がることなくこのパッド縁部によってそこで停止させられるような形で、プリント回路板にインクを溢れさせる段階を含んで成る。
2005519477.tif 000002
【特許請求の範囲】
【請求項１】
パッド縁部を画定する隆起したパッドを有するプリント回路板に対しソルダーマスクパターンに従ってインクを塗布する方法であって、
インクがパッド縁部まで前進し、隆起したパッド上に上がることなくこのパッド縁部によってそこで停止させられるような形で、プリント回路板にインクを溢れさせる段階を含んで成る方法。
【請求項２】
プリント回路板に対しソルダーマスクパターンに従ってインクを塗布する方法であって、
ソルダーマスクパターンに従ってプリント回路板上にインクの液滴を噴出させるためにインクジェットを使用する段階；及び
インクの広がりを防ぐため１００ミリセカンド以内で各々のインク液滴を固化させる段階で含んで成る方法。
【請求項３】
前記ソルダーマスクパターンが、導体縁部を有する導体を含み、前記使用段階が前記導体縁部全体にわたりインク液滴を噴出させるべくインクジェットを使用する段階を含んで成る、請求項２に記載の方法。
【請求項４】
前記ソルダーマスクパターンが少なくとも一対の隣接パッドを含み、前記使用段階が前記隣接パッド対の間にインク液滴を噴出させるべくインクジェットを使用しかくしてソルダーダムを生成する段階を含んで成る、請求項２に記載の方法。
【請求項５】
前記固化段階が、化学光で硬化させる段階、ＩＲ放射段階、高温空気に対する露呈段階のうちの少なくとも１つを含んで成る請求項２に記載の方法。
【請求項６】
少なくとも１つのホールをもつプリント回路板を提供する段階をも含み、前記溢れ段階には、前記ホールのすぐ近く以外でプリント回路板を溢れさせる段階が含まれている、請求項１に記載の方法。
【請求項７】
各々のホールが少なくとも１０：１の縦横比を有する、請求項６に記載の方法。
【請求項８】
化学光で硬化させる段階にはＵＶ光で硬化させる段階が含まれる、請求項５に記載の方法。
【請求項９】
中に運動軸を画定し少なくとも１つのプリントヘッドを支持するブリッジと、
前記運動軸に沿って２つの相対する方向に印刷すべき物体の相対的運動を提供する相対運動供給装置と、
前記ブリッジに隣接して前記ブリッジの両側面上に位置づけされ、かくして前記少なくとも１つのプリントヘッドにより対象物がプリントされた直後に前記２つの相対する方向のいずれかからブリッジを退出する対象物の化学線作用による照明を可能にする、化学光源対と、を含んで成るＰＣＢ（プリント回路板）印刷用器具。
【請求項１０】
前記化学光源対がＵＶランプ対を含む、請求項９に記載の印刷用器具。
【発明の詳細な説明】
【技術分野】
【０００１】
発明の分野
本発明は、プリント回路板に対して保護用ソルダーマスクを適用するための装置及び方法に関する。
【背景技術】
【０００２】
発明の背景
ＰＣＢ（プリント回路板）に対して保護用ソルダーマスクを適用する従来の方法の簡略化した流れ図は、先行技術図２に示されている。ステップ１５０は「カーテンコーティング」及び「シルクスクリーン」方法といったあらゆる従来の方法を用いて実施可能である。
【０００３】
公示されたＰＣＴ出願ＷＯ０２／０１９２９Ａ２は、プリント回路板製造のためのジェットプリントベースの器具及び方法について記述している。
【０００４】
該明細書中に言及された刊行物及びその中で引用されている刊行物の開示は本書に参考として内含される。
【０００５】
発明の要約
ハイエンドＰＣＢ上へのソルダーマスクの適用のための一般的な先行技術による方法は、フォトリソグラフィであり、これには以下のような段階が含まれる：
（ａ）プリント回路板の予備清掃及び洗浄処理、
（ｂ）光画像形成型液状ソルダーマスクを用いたパネルの全面コーティング、
（ｃ）プリント回路板の両側面の指触（Ｔａｃｋ  ｆｒｅｅ）乾燥、
（ｄ）フォトツールを通した（通常は真空下での）化学光に対する露呈、
（ｅ）現像、
（ｆ）カスケード式洗浄処理及び、
（ｇ）プリント回路板の最終的硬化。
本書に記述されているように本発明の好ましい実施形態に従ってソルダーマスクをデジタル式に適用する場合には、好ましいことに、ステップ（ｂ）−（ｆ）の全てが回避される。
【発明の開示】
【０００６】
本発明は、プリント回路板に対し保護用ソルダーマスクを適用するための改良された装置及び方法を提供しようとするものである。
【０００７】
本書に示され記述されているプリント回路板に対する保護用ソルダーマスクのデジタル式適用方法は、好ましいことに、従来の光画像形成段階を完全にとり除くものである。
【０００８】
「ソルダーダム」というのは、ソルダーマスクの化学組成に起因してはんだをはねつけ、かくして隣接するパッド間の電気的短絡を防止する、パッド間のソルダーマスクコーティングを受けた空間のことである。
【０００９】
例えばわずか約７５マイクロメートルの離隔といったようにパッド同士が非常に近い利用分野においては、フォトマスクの精度に制限があることに起因して、パッド間にソルダーダムを残すことは不可能である。これは、短絡をひき起こす可能性がある。
【００１０】
同様に、厚いパッドを伴う回路については、ソルダーダムを残すことが可能であるとしても、比較的狭く背の高いソルダーダムは脆く、これは短絡の予防にとっては不利な破断をひき起こす。その上、電子部品の組立て中に塗布されたソルダーペーストに破片が付着して、リフロー中の適切なはんだ付けを妨害する可能性もある。
【００１１】
ＰＣＢに対しインクを塗布した場合、硬化していないインクがスルーホールを充てんする。縦横比（ＰＣＢ厚み／ＰＣＢホール直径）が高い場合、ホールは現像プロセス中に適切に清掃され得ず、そのためはんだ付け性が妨げられる可能性がある。
【００１２】
例えば電気的試験中に適用される真空を改善するためにヴァイア（ｖｉａｓ）充てんが望まれる場合、少なくとも一部分そして好ましくは完全にヴァイアをブロックするべく、ヴァイアの近辺で液滴噴出密度を増大させることができる。従来のＬＰＩＳＭ（光画像形成型液状ソルダーマスク）適用方法によってではなくむしろ液滴噴出密度を増大させることによってヴァイアを充てんすることのもつ特別な１つの利点は、ＬＰＩＳＭ適用方法を使用した場合には、本発明の好ましい実施形態に従って標準的に用いられるインクジェットインクとの関係におけるＬＰＩＳＭの粘度に起因して、ヴァイア内のエントラップドエアがはんだウェーブ又はリフロー中に爆発をひき起こす可能性がありこれが数多くの望ましくないはんだ屑を生成する傾向をもつ、ということにある。
【００１３】
本発明の好ましい実施形態に従うと、ＰＣＢ上にインク液滴を塗布しかくして密に重なり合うインクスポットを生成するために、インクジェットが用いられる。ＰＣＢ上のＳＭＴ（表面取付け技術）及びＴＨ（スルーホール）パッドはＰＣＢの平面との関係において隆起していることから、液滴噴出密度が適切な範囲内にあると仮定して、標準的にジェットにより噴出された各々のインク液滴は、近くにある任意の隆起したパッドの縁部まで広がりちょうどその縁部で停止する。
【００１４】
かくして、本発明の好ましい実施形態に従うと、パッド縁部を画定する隆起したパッドを有するプリント回路板に対しソルダーマスクパターンに従ってインクを塗布する方法において、インクがパッド縁部まで前進し、隆起したパッド上に上がることなくこのパッド縁部によってそこで停止させられるような形で、プリント回路板にインクを溢れさせる段階を内含する方法が提供されている。
【００１５】
本発明のもう1つの好ましい実施形態に従って同様に提供されているのは、プリント回路板に対しソルダーマスクパターンに従ってインクを塗布する方法において、ソルダーマスクパターンに従ってプリント回路板上にインクの液滴を落下させるためにインクジェットを使用する段階及びインクの広がりを防ぐため、例えば１００ミリセカンド以内で化学光を用いて各々のインク液滴を固化させる段階を含んで成る方法である。
【００１６】
さらに本発明の好ましい実施形態に従うと、前記ソルダーマスクパターンは、導体縁部を有する導体を含み、該使用段階は該導体縁部上にインク液滴を噴出させるべくインクジェットを使用する段階を内含している。
【００１７】
さらに本発明の好ましい実施形態に従うと、該ソルダーマスクパターンは、少なくとも一対の隣接パッドを内含し、該使用段階は該隣接パッド対の間にインク液滴を噴出させるべくインクジェットを使用しかくしてソルダーダムを生成する段階を内含する。
【００１８】
さらに本発明の好ましい実施形態に従うと、化学光はＵＶ光を内含する。
【００１９】
さらに本発明の好ましい実施形態に従うと、該方法は同様に、少なくとも１つのホールをもつプリント回路板を提供する段階をも含み、溢れ段階には、ホールのすぐ近く以外でプリント回路板を溢れさせる段階が含まれている。部分的ホールブロッキングが望まれる場合、これは、ヴァイアに隣接するインク液滴密度を増大させることによって達成可能である。
【００２０】
さらに本発明の好ましい実施形態に従うと、各々のホールは少なくとも１０：１の縦横比を有する。
【００２１】
さらに本発明の好ましい実施形態に従うと、プリント回路板は少なくとも１つのホールを有し、該方法には、ホールを清掃せずにプリント回路板を使用する段階も含まれている。
【００２２】
本発明の好ましい実施形態の特長は、ソルダーマスクが、導体を被覆し保護することに加えて、組立てプロセス中にプリント回路板に対しはんだ及びはんだ屑が付着しないように化学的にはねつけることによって電気的短絡を予防するという点にある。
【００２３】
本発明のもう１つの特長は、ストロー（ｓｔｒａｗ）形成が実質的に発生しないという点にある。特に高いパッド及び導体をもつＰＣＢのために従来のソルダーマスク適用方法を用いた場合、望ましくない「ストロー」が形成する傾向にある。これらは、コーティングの方向に対し垂直であるＳＭＴパッド又は導体の線形縁部に沿った線形気泡である。ストロー形成は、ストロー内に捕捉された空気が高いはんだ温度で爆発し、かくして望ましくないはんだ屑が生成する。
【００２４】
先行技術によって教示されているようなソルダーマスク設置を光画像形成可能な形で画定することは、高い縁部鮮明度を結果としてもたらす。しかしながら、技術的現状のフォトリソグラフィプロセスがもつ制限の１つは、フォトツールとＰＣＢパッドの間に優れた位置合せ精度を達成する上でのむずかしさにある。このむずかしさは、同じバッチ内の異なる回路板の間の小さな位置合せの差及びＰＣＢの変形に起因して、及び各バッチに含まれ得る数ダースの回路板の画像を形成するための単一のフォトツールの使用に起因して発生する。
【００２５】
フォトツール−ＰＣＢパッドの位置合せ精度は従来、パッドの回りに露光されていない余白を残すことによって達成され、その結果、これらのパッドのまわりに溝が形成されることになる。この現象は、細かいピッチのコンポーネントについて隣接するパッドの間のソルダーマスク分離（「ソルダーダム」）を完全に削除すべきであるという決定をＰＣＢメーカーが下す動機づけとなった。この決定は、その後のはんだリフロープロセス中の隣接するパッド間の短絡を除去する上でソルダーダムが有する重要性からして、問題を呈するものである。
【００２６】
インクジェットを使用する場合、従来のフォトリトグラフＰＣＢ製造において達成された高い縁部鮮明度に匹敵する高い縁部鮮明度を達成することが望ましい。液滴体積を最小限にすることは、高い縁部鮮明度を得るために考えられる１つの方法であるが、液滴体積を最小限にすると印刷速度、液滴配置精度及び処理能力が著しく減少する。本発明の望ましい実施形態の１つの特長は、パターン化された物体上の既存の隆起フィーチャの縁部まで溢れさせることによって、特に小さな液滴を用いることなく鋭い縁部が画定されるということにある。
【００２７】
本発明の好ましい１実施形態に従って提供されるデジタルソルダーマスクの適用がもつ特別な利点は、同じバッチ内の異なるＰＣＢの寸法間の小さな差異を考慮に入れるため各回路板について画像スケーリングを行なうことができるという点にある。インクジェット液滴は、予め定められた点及び部域の場所に精確に配置され、最も近いパッドに到達するまで或る一定の時限流動させられ、その後例えば液状ソルダーマスクの感光性部分を硬化させることになる化学光を用いて固化され得る。
【００２８】
その後、好ましくは、例えば導体縁部の被覆率を確保するため、ソルダーダムを構築するため、ロゴを加えるため、又はその他のあらゆる理由のため、ソルダーマスクの付加的層が印刷される。付加層は、それが媒体に達した後できるかぎり早く、例えばＵＶ硬化、ＩＲ放射に対する露呈及び／又は高温空気の適用によって固化される。この即時固化は、インク液滴が導体から離れて流出するのを防ぎ、硬化の前に広がることのできた第１の硬化済み層の上にさらに高いソルダーダムが構築させる。導体縁部といったような問題の多い部位の充分に厚いコーティングの提供を確実にするべく単数又は複数の通過の中で、インクの後続するプリントを適用することができる。
【００２９】
当該技術分野において既知の光画像形成方法によってではなくむしろ本発明の溢れ方法の１つによるソルダーマスクの適用の付加的な利点には、次のことが含まれる：
【００３０】
（ａ）厚い銅パッドを伴う利用分野のためのソルダーダムの機械的強度の増大。従来の光画像形成プロセスにおいては、パッドのまわりの溝形成に起因して、形成されたソルダーダムは比較的高く狭いものであり、機械的破断を受けやすい。これとは対照的に、本発明の好ましい実施形態に従って溢れにより生成されるダムは、高くも狭くもなく、従って増大した機械的強度を有する。
【００３１】
（ｂ）標準的に、例えばＰＣＢの無電解錫処理といったＰＣＢの処理には、各々異なる化学溶液中で行なわれるさまざまな段階が関与する。ＰＣＢ内に溝が存在する場合、特定の段階からの例えば無電解錫といった化学物質は、洗浄がむずかしい溝の中のこれらの化学物質の蓄積に起因して後続段階の溶液を汚染する傾向をもつ。
【００３２】
溝は同様に、はんだ屑をため込む傾向をも有する。ＰＣＢ上のはんだ屑の存在は、電子回路板の寿命の間に短絡をひき起こす可能性があることから望ましくない。
【００３３】
組立てプロセス中には、溝の中に融剤がため込まれる傾向がある。その後、電子機器の内部にひとたびＰＣＢが設置された時点で、捕捉された融剤はＰＣＢ上の電気コンポーネントの腐食をひき起こす可能性がある。
【００３４】
本発明の好ましい実施形態の特定の１つの利点は、溝形成が実質的に回避され、かくして上述の問題点が実質的に無くなるという点にある。
【００３５】
（ｃ）ＰＣＢが厚い銅の外部層、すなわち高いパッド及び導体に近いコーティングで被覆されるにつれて発生する傾向のあるもう１つの問題点の軽減。カーテンコーター又はシルクスクリーンを使用する場合、空気が導体及びガラスエポキシにおいてため込まれる可能性がある。「ストロー効果」として知られるこの現象は、一般に、本発明のデジタル式適用プロセスが使用される場合には発生しない。
【００３６】
（ｄ）高い縦横比を伴う厚い回路板が関与する利用分野においては、液状ソルダーマスクは、光画像形成型液状ソルダーマスク（ＬＰＩＳＭ）がカーテンコーター又はシルクスクリーンによって適用されている間にメッキされたホールの中に入ることができる。従来の現像プロセス中では、ソルダーマスクが不粘着乾燥された後ソルダーマスク材料を完全に除去することは困難である。ホール内に液状ソルダーマスクの跡が残った場合、コンポーネントのスルーホール組立ては、不完全でありうる。本書で示され記述されているデジタルプリント方法を用いた場合、インクは標準的に決してメッキホールに近づかない。従って、ホールの清掃が不要であるために、ホールの清掃無しでＰＣＢを使用できる。
【００３７】
本書に示され記述されている方法の好ましい実施形態の特定の１利点は、従来のソルダーマスク適用方法の一部である時間とコストのかかるフォトツーリング段階（先行技術図２の中の１７５）を完全に削除できるということにある。
【００３８】
本発明は、図面と合わせて以下の詳細な記述を考慮することによって理解され評価されることであろう。
【００３９】
好ましい実施形態の詳細な説明
ここで、合わせて、プリント回路板に対する保護用ソルダーマスクのデジタル式適用のための、本発明の好ましい実施形態に従って構築され作用可能な１つの方法の簡略化された一般に自明の流れ図を形成する図１Ａ−１Ｂを参照する。
【００４０】
好ましくは、図１Ａ−１Ｂの方法は、公示されたＰＣＴ出願ＰＣＴ／ＩＬ０１／００５９６（ＷＯ０２／０１９２９）内で図示され記述されたものと類似のデジタル式ソルダーレジスト液滴配置システムを用いて実施される。
【００４１】
ステップ５０では、ここでは「インク液滴」とも呼ばれているソルダレジスト液滴が、禁止部域以外の回路板の全部域にわたって配置される。これらの液滴は、プリント回路板の裸の部分に溢れる。そこから銅層がエッチングされるこれらの裸の部分はここでは、ＰＣＢの「積層部域」とも呼ばれる。溢れ手順における液状ソルダーマスクの流れは、パッドにより停止される。このステップは、パッドに対するソルダーマスクの至近性を提供する。
【００４２】
ステップ４０、５０及び６０は、全ＰＣＢ部域を被覆するための第１のパスである。ステップ７０及び８０は、特定的には、ＰＣＢの平面との関係における導体の高さが高いことに起因して第１のパス中に不適切に被覆される傾向をもつ導体を被覆するための第２のパスである。
【００４３】
ステップ７０では、回路板に対し再びソルダーマスクが適用され、今度は回路板に適用された後直ちに完全に又は部分的に固化される。この両方共がパッド間にソルダーダムを構築させ、インクが導体、特にその縁部から流れ出すのを防ぐ。ソルダーマスクの即時「固化」は、例えば、ＵＶ硬化、ＩＲ放射に対する露呈及び／又は高温空気の適用によってもたらすことができる。
【００４４】
ステップ７０では、インクは即座に固化される。標準的には、５０〜２００ミリセカンド後、ＰＣＢ上の印刷済み部域は、化学光下を通過し、印刷された液滴の不動性を保証するべく少なくとも部分的に硬化される。化学光の適切な放射レベルは５０〜３００ｍｊ／ｃｍ2、好ましくは１００〜２００ｍｊ／ｃｍ2である。図３〜４Ｂに示されているように、回路板上の液滴の配置とその硬化の間の最短時間を保証するために、ＵＶランプといったような化学光源３００及び３１０がプリントヘッド３３０を支持するブリッジ３２０の各側面に１つずつ具備され、かくしてＰＣＢ３６０は、ブリッジ３２０を通って矢印３４０及び３５０により表わされているような２方向のうちのいずれかに動くことができ、この２方向の両方においてブリッジ３２０からのＰＣＢの退出点にすぐ隣接してＵＶランプ３００又は３１０が利用できるようになっている。
【００４５】
図１Ａ−１Ｂでは、インクは標準的に、２〜６回のパス、標準的には図示されているように２〜３回のパス（ステップ５０、７０及び８０）で所望の部位で塗布される。パスの回数は、液滴体積、印刷頻度及びパネル速度によって左右され、これらのパラメータ全てがＰｒｉｎｔａｒＬＧＰ−８０９といったアートプリンタの状態で制御可能である。例えば、液滴体積は７５ｐｌであり、画素サイズ（隣接して塗布された液滴の中心間距離）は３３マイクロメートルであり、コーティングされた厚みは標準的に７０マイクロメートルを超え、これは従来要求された２５マイクロメートルのドライコートを大幅に超える。
【００４６】
ＰｒｉｎｔａｒＬＧＰ−８０９上の最大印刷頻度は、一秒あたり２０，０００滴である。しかしながら、標準的には、印刷頻度はステップ５０、７０及び８０の各々について選択され、こうして所望の厚みのコーティングが得られ、それ以上の厚みではなくなる。例えば、所望のコーティング厚みが２０〜４０マイクロメートルである場合、一秒あたり約５０００液滴の印刷頻度を利用することができる。
【００４７】
ＰＣＢに溢れさせるためには、１ｓｑｃｍあたり約３０，０００液滴が噴出されなくてはならない。このパラメータは、Ｓｐｅｃｔｒａ，Ｘａａｒ又はＥｐｓｏｎプリントヘッドといったようなあらゆるＯＥＭ（相手先商標製品の製造会社）プリントヘッドの能力範囲内に充分入るものである。
【００４８】
図４の方法を実施するための適切なインクジェットデバイスは、ＰｒｉｎｔａｒＬｔｄ．，５ Oppenheiner St., Rehovot, Israelから市販されているＬＧＰ−８０９である。図３の器具は、２つのＵＶランプを図示されている通りにプリントヘッドブリッジのいずれかの側面上に具備できるという点を除いて、ＬＧＰ−８０９又は以上で参照指示されている同時係属ＰＣＴ出願の中で記述されている器具と類似したものであり得る。
【００４９】
図１Ａ−１Ｂのステップ３０、４０及び４５は、ＰｒｉｎｔａｒＬＧＰ−８０９プリンタのＲＩＰ機能によって実施され得る。好ましくは、ステップ４０では、パッド、ホールそして各パッド及び各ホールをとり囲む５０〜１００マイクロメートルといったような適切な幅の余白が全て「禁止部域」すなわちいかなるソルダーマスクも適用されるべきでない部域として画定されるように、２値化が実行される。ステップ４５では、液滴が好ましくはインクが塗布された直後に「固化する」という事実に起因して、被覆されるべき余白で各々の導体及び／又はソルダーダムをとり囲むことは標準的に不要である。
【００５０】
ＬＧＰ−８０９は、２５〜８０マイクロメートルというインク液滴局在化精度を生み出し、２０〜１００ピコリットルという液滴体積を有し得る。例えば、ＬＧＰ−８０９インクジェットデバイスによって噴出された７５ピコリットルの液滴は、媒体上で、媒体と噴出されたインクの間の相互作用によって左右される８０〜１２０マイクロメートルという直径のスポットを生成することができる。
【００５１】
例えば、中心が互いに約３３マイクロメートル離隔されているパッド部域以外のコーティングされた全ＰＣＢ表面にわたりインク液滴を分布させることができる。各パッド部域のまわりで、中心はパッドの縁部から約６０〜８０マイクロメートル離隔させられる。このプロセスをくり返し行なって、コーティングされたＰＣＢの全部域を横断して又はその或る一定の指定部域内で所望の厚みを達成することができる。例えば、パッド厚みが３５マイクロメートルである場合、プロセスをパッドの付近で１〜４回くり返すことができる。パッド厚みが１４０マイクロメートルである場合、該プロセスをパッドの付近で４〜１６回くり返すことができる。
【００５２】
例えば、中心が互いに約３３マイクロメートル離隔されているパッド部域以外のコーティングされた全ＰＣＢ表面にわたりインク液滴を分布させることができる。各パッド部域のまわりで、中心はパッドの縁部から約６０〜８０マイクロメートル離隔させられる。このプロセスをくり返し行なって、コーティングされたＰＣＢの全部域を横断して又はその或る一定の指定部域内で所望の厚みを達成することができる。例えば、パッド厚みが３５マイクロメートルである場合、プロセスをパッドの付近で１〜４回くり返すことができる。パッド厚みが１４０マイクロメートルである場合、該プロセスをパッドの付近で２〜８回くり返すことができる。
【００５３】
導体を適切に被覆するために、好ましくは、導体から離れるインクの流れは、現場での硬化を容易にしかくして導体からの流出を阻止するべくＵＶ成分をもつインクを使用することによって最小限におさえられる。例えば適切な市販のインクは、ＡｖｅｃｉａのSolder Mask Ｚ３７２７／６／１である。
【００５４】
本発明の好ましい実施形態の１つの特長は、ジェットにより噴出された各インク液滴が標準的に、液滴噴出密度が適切な範囲内にあることを仮定して、任意の近くの隆起したパッドの縁部まで広がり、ちょうどこの縁部で停止するという点にある。ｙ軸ｄに沿った液滴噴出密度ＤＰＩＹの適切な値は、筆算で又は適切なソフトウェアによって、例えば以下の通りに計算できる：
【００５５】
ＤＰＩＹ＝２５．４×２５．４×Ｔ／（ＤＰＩＸ×Ｖｄ）
なおここで、２５．４はインチとｍｍの換算率であり、Ｔはｍｍ単位で表わしたＰＣＢ上のインクの所望の厚みであり、ＤＰＩＸは、通常プリンタの固定された固有パラメータであるｘ軸に沿った液滴噴出密度であり、Ｖｄは、作業条件下で経験的に決定され得るピコリットル単位で表わした各々の噴出された液滴の体積である。ＤＰＩＸ及びＤＰＩＹ値は、インチあたりの液滴数で与えられる。例えば７５０ｄｐｉといった比較的高い分解能でプリンタを作動させるものの実際には１インチあたり７５０液滴未満例えばインチあたり３７５液滴を噴出するようにプリンタ制御機構を調整することにより、比較的低い噴出密度が望まれる場合でさえ、高い印刷分解能を達成することができる。
【００５６】
本発明のソフトウェアコンポーネントは、望まれる場合、ＲＯＭ（読取り専用メモリ）の形で実現できるということがわかる。一般に、ソフトウェアコンポーネントは、望ましい場合、従来の技術を用いてハードウェアの形で実現できる。
【００５７】
明確さを期して別々の実施形態の状況下で記述されている本発明のさまざまな特長を単一の実施形態の中で組合せて提供することもできる、ということがわかる。換言すると、簡潔さを期して単一の実施形態の状況下で記述されている本発明のさまざまな特長を、別々に又は任意の適切な下位組合せの形で提供することもできる。
【００５８】
当業者であれば、本発明が以上で特に示され記述されたものに制限されないことがわかるだろう。むしろ、本発明の範囲は以下のクレームによってのみ画定されるものである。
【図面の簡単な説明】
【００５９】
【図１Ａ】図１Ｂと伴に、プリント回路板に対する保護用ソルダーマスクのデジタル式適用のための、本発明の好ましい実施形態に従って構築され作用可能な１つの方法の簡略化された流れ図を形成する。
【図１Ｂ】図１Ａと伴に、プリント回路板に対する保護用ソルダーマスクのデジタル式適用のための、本発明の好ましい実施形態に従って構築され作用可能な１つの方法の簡略化された流れ図を形成する。
【図２】プリント回路板に対する保護用ソルダーマスクの適用のための、先行技術の方法の簡略化された流れ図である。
【図３】ひとたび印刷された時点で２つの方向のいずれからでもプリントヘッドブリッジを退出できる１つの物体の急速な硬化を可能にするべくプリントヘッドブリッジの両側面上の化学線照明を内含する、プリント回路板に対して保護用ソルダーマスクを適用するための器具の簡略化された絵画的図である。
【図４Ａ】例えばＰＣＢの第１の線形部分がソルダーマスクで被覆された後第１の方向に沿ってそしてＰＣＢの第２の線形部分がソルダーマスクで被覆された後第２の方向に沿って、図３の器具のＵＶ硬化ランプの下を通過するＰＣＢ回路板を示す、図３のＩＶ−ＩＶに沿って切り取った簡略化された絵画的図である。
【図４Ｂ】例えばＰＣＢの第１の線形部分がソルダーマスクで被覆された後第１の方向に沿ってそしてＰＣＢの第２の線形部分がソルダーマスクで被覆された後第２の方向に沿って、図３の器具のＵＶ硬化ランプの下を通過するＰＣＢ回路板を示す、図３のＩＶ−ＩＶに沿って切り取った簡略化された絵画的図である。
【図１Ａ】
2005519477.tif 000003
【図１Ｂ】
2005519477.tif 000004
【図２】
2005519477.tif 000005
【図３】
2005519477.tif 000006
【図４Ａ】
2005519477.tif 000007
【図４Ｂ】
2005519477.tif 000008
【国際調査報告】
2005519477.tif 000009
2005519477.tif 000010
2005519477.tif 000011